(57)【要約】    【課題】磁気ディスク装置では、スピンドル・シャフトをカバーに締結している以上の衝撃が加わると、スピンドル・シャフトが傾いてしまうという問題がある。    【解決手段】カバー２は、スピンドル・シャフト４と対向する部分に凹部２１が形成され、スピンドル・シャフト４との接触部の端部を突き出させた突き出し部２２が形成され、スピンドル・シャフト４のネジ穴４１の傾斜部４２に接触する“いんろう”構造に形成されている。カバー２とスピンドル・シャフト４の隙間は、ゼロであることが望ましい。この構成により、外部より衝撃が印加されても、カバー２の突き出し部２２がストッパーとなって、スピンドル・シャフト４とカバー２のずれが抑えられ、スピンドル・シャフト４の傾きを防止する。【選択図】図１
2006172671.tif 000002
【特許請求の範囲】
【請求項１】
磁気ディスクが装着され、一端にネジ穴を有するスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられ、前記スピンドル・シャフトとの接触部に設けられたネジ穴の端部に突き出し部を有するカバーと、該カバーの突き出し部が前記スピンドル・シャフトのネジ穴の上部に形成された傾斜部に接触するように挿入された状態で前記スピンドル・シャフトを前記カバーに固定するネジとを有することを特徴とする磁気ディスク装置。
【請求項２】
前記ベースの前記スピンドル・シャフトとの接触部は凹部であることを特徴とする請求項１記載の磁気ディスク装置。
【請求項３】
前記カバーの突き出し部は前記スピンドル・シャフトの方向に先すぼまりであり、前記スピンドル・シャフトのネジ穴の傾斜部は前記カバーの方向に広がっていることを特徴とする請求項１記載の磁気ディスク装置。
【請求項４】
前記カバーと前記スピンドル・シャフトとの接触部は、密着していることを特徴とする請求項１記載の磁気ディスク装置。
【請求項５】
前記ネジが前記カバーを押えつける面積と、前記スピンドル・シャフトの前記カバーとの接触部の面積は、ほぼ等しいことを特徴とする請求項１記載の磁気ディスク装置。
【請求項６】
磁気ディスクが装着され、一端に面粗しが施されたスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられるカバーと、該カバーが前記スピンドル・シャフトの面粗しが施された部分に接触された状態で前記スピンドル・シャフトを前記カバーに固定するネジとを有することを特徴とする磁気ディスク装置。
【請求項７】
前記面粗しが前記カバーに施されることを特徴とする請求項６記載の磁気ディスク装置。
【請求項８】
前記ベースの前記スピンドル・シャフトとの接触部は凹部であることを特徴とする請求項６記載の磁気ディスク装置。
【請求項９】
前記ネジが前記カバーを押えつける面積と、前記スピンドル・シャフトの前記カバーとの接触部の面積は、ほぼ等しいことを特徴とする請求項６記載の磁気ディスク装置。
【請求項１０】
磁気ディスクが装着され、一端に溝を有するスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられ、前記スピンドル・シャフトの溝に対向する部分に複数の突起を有するカバーと、該カバーの突起が前記スピンドル・シャフトの溝に嵌合された状態で前記スピンドル・シャフトを前記カバーに固定するネジとを有することを特徴とする磁気ディスク装置。
【請求項１１】
前記溝は環状であり、前記突起は少なくとも２個、対称位置に設けられることを特徴とする請求項１０記載の磁気ディスク装置。
【発明の詳細な説明】
【技術分野】
【０００１】
本発明は磁気ディスク装置に係り、特に磁気ディスクを支持するスピンドル・シャフトの固定構造に関する。
【背景技術】
【０００２】
磁気ディスク装置はベースとカバーで形成される容器内部に、磁気ディスクを回転駆動するスピンドル・モータと、磁気ヘッドを支持するキャッリッジが実装されている。磁気ヘッドはキャリッジにより磁気ディスクの半径方向位置に位置決めされ、データの書き込み及び読み取りを行う。
【０００３】
磁気ディスク装置の需要はオフィスで使用するパーソナル・コンピュータ（ＰＣ）だけに留まらず、ノート型ＰＣ、携帯機器およびカーナビゲーション等の自動車搭載用として、屋外へと使用範囲を広げている。その結果、磁気ディスク装置にとって使用環境は苛酷になってきている。
【０００４】
一方、記録密度の高度化、データ転送速度の高速化が進められ、磁気ヘッドの位置決め精度は非常に高いものが要求されてきている。その中で部品の精度向上はもとより、装置として使用環境条件に応じた機構系の信頼性向上は必須である。また、高衝撃力印加時でも、装置の各部位に及ぼす影響は少ない方が望ましく、変移量は数ミクロン程度で発生しないことが望ましい。特に、衝撃による磁気ディスクのずれ、あるいは磁気ディスクと磁気ヘッドの相対位置ずれは発生しないことが望ましい。
【０００５】
図６に例えば特許文献１に記載されている従来のスピンドル・シャフトの固定構造を示す。スピンドル・シャフト４の上下をベース（図示せず）とカバー２にネジにより締結する構造であり、スピンドル・シャフト４のベース側は複数のネジでベースに固定し、カバー側は一本のネジ１６でカバー２に固定する構造である。特許文献２には、従来の固定構造において、スピンドル・モータの回転に起因してカバーに伝達される振動を低減するために、スピンドル・シャフト４に対応する位置に穴を有するカバー２と、穴の周辺のカバー上に載置された第１の金属ワッシャー２７と、第１の金属ワッシャー２７と協働して穴の周辺のカバー２を挟み込む第２の金属ワッシャー２８とを有し、第１及び第２の金属ワッシャー２７，２８をスピンドル・シャフト４にネジ１６で締結する構造が開示されている。
【０００６】
【特許文献１】特開平１０−１２５０５３号公報
【特許文献２】特開２００１−２０２６８２号公報
【発明の開示】
【発明が解決しようとする課題】
【０００７】
従来の磁気ディスク装置では、スピンドル・シャフトとカバーを直接ネジで締結するか、あるいはカバーを上下のワッシャーで挟みワッシャーとスピンドル・シャフトをネジで締結するものであるが、ネジとカバーの間には隙間が生じているので、ネジの締付力と摩擦力で固定されている締結力以上の衝撃が外部から印加されると、締結力が失われスピンドル・シャフトが傾いてしまうという問題がある。
【０００８】
実際に衝撃を与えてその影響を調べてみた。スピンドル・モータの回転スタート、ストップを数回繰り返して正常に動作するかどうかを確認し、次に、パフォーマンスを測定し、続いて磁気ディスク面の欠陥の有無を調べた。この結果、磁気ディスク装置の起動シーケンスが正常に終了しないケースが多かった。この原因について、円板のずれが発生したのか。部品のトラブルが発生したのか、エレキ部品の損傷が原因なのかについて調査してみた。調査の結果、スピンドル・シャフトが倒れていることが判明した。スピンドル・シャフトが倒れる原因は、カバー側のスピンドル・シャフトとカバーの締結面においてすべりが発生するためである。
【０００９】
スピンドル・シャフトが倒れると、磁気ヘッドの浮上量の変動や位置決め精度が劣化し、記録再生特性が劣化することになる。従って、この問題を解決するためには、スピンドル・シャフトとカバーの締結面において物理的にずれが発生しない構造が必要である。
【００１０】
本発明の目的は、外部からの衝撃に対してスピンドル・シャフトが傾かない磁気ディスク装置を提供することである。
【課題を解決するための手段】
【００１１】
上記目的を達成するために、本発明の磁気ディスク装置においては、磁気ディスクが装着され、一端にネジ穴を有するスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられ、前記スピンドル・シャフトとの接触部に設けられたネジ穴の端部に突き出し部を有するカバーと、該カバーの突き出し部が前記スピンドル・シャフトのネジ穴の上部に形成された傾斜部に接触するように挿入された状態で前記スピンドル・シャフトを前記カバーに固定するネジとを有することを特徴とする。
【００１２】
前記ベースの前記スピンドル・シャフトとの接触部は凹部であることが望ましい。
【００１３】
前記カバーの突き出し部は前記スピンドル・シャフトの方向に先すぼまりであり、前記スピンドル・シャフトのネジ穴の傾斜部は前記カバーの方向に広がる形状である。
【００１４】
前記カバーと前記スピンドル・シャフトとの接触部は、密着していることが望ましい。
【００１５】
前記ネジが前記カバーを押えつける面積と、前記スピンドル・シャフトの前記カバーとの接触部の面積は、ほぼ等しいことが望ましい。
【００１６】
上記目的を達成するために、本発明の磁気ディスク装置においては、磁気ディスクが装着され、一端に面粗しが施されたスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられるカバーと、該カバーが前記スピンドル・シャフトの面粗しが施された部分に接触された状態で前記スピンドル・シャフトを前記カバーに固定するネジとを有することを特徴とする。
【００１７】
前記面粗しが前記カバーに施されても良い。
【００１８】
前記ベースの前記スピンドル・シャフトとの接触部は凹部であることが望ましい。
【００１９】
前記ネジが前記カバーを押えつける面積と、前記スピンドル・シャフトの前記カバーとの接触部の面積は、ほぼ等しいことが望ましい。
【００２０】
上記目的を達成するために、本発明の磁気ディスク装置においては、磁気ディスクが装着され、一端に溝を有するスピンドル・シャフトを有するスピンドル・モータと、前記磁気ディスクに対してデータの記録または再生を行う磁気ヘッドを支持するキャリッジと、前記スピンドル・モータと前記キャリッジとを収容するベースと、該ベースに取り付けられ、前記スピンドル・シャフトの溝に対向する部分に複数の突起を有するカバーと、該カバーの突起が前記スピンドル・シャフトの溝に嵌合された状態で前記スピンドル・シャフトを前記カバーに固定するネジとを有することを特徴とする。
【００２１】
前記溝は環状に設けられ、前記突起は少なくとも２個、対称位置に設けられることが望ましい。
【発明の効果】
【００２２】
本発明によれば、外部から衝撃が印加されても、スピンドル・シャフトとカバーの接触面のすべりを抑え、スピンドル・シャフトの傾きを抑えることができる。
【発明を実施するための最良の形態】
【００２３】
図２に本発明の一実施例による磁気ディスク装置の概略構成を示す。ベース１とカバー２で形成される容器内部に、スピンドル・モータ３、ピボット・ベアリング９およびボイス・コイル・モータ（ＶＣＭ）１０が実装されている。スピンドル・モータ３のスピンドル・シャフト４には磁気ディスク５が装着され、ピボット・ベアリング９にはヘッド・アーム８とＶＣＭ１０のコイル１１が取り付けられている。ヘッド・アーム８にはサスペンション７が取り付けられ、サスペンション７の先端には磁気ヘッド６が取り付けられている。ＶＣＭ１０のコイル１１に電流を流すことにより、ヘッド・アーム８がピボット・ベアリング９を中心とした回転運動を行ない、サスペンション７の先端に取り付けられている磁気ヘッド６を磁気ディスク５の半径方向位置に位置決めし、データの書き込み及び読み取りが行われる。ピボット・ベアリング９とヘッド・アーム８とＶＣＭ１０とでキャリッジ機構を構成している。磁気ヘッド６は書き込み及び読み取りを行わないときは、ランプ機構１２に退避されている。
【００２４】
図３に磁気ディスク装置のスピンドル・シャフト４が、ベース１とカバー２に固定されている状態の断面図を示す。スピンドル・シャフト４の周りにはスピンドルハブ１３が設けられ、スピンドルハブ１３には磁気ディスク５がスペーサ１４を介して装着され、ディスク・クランプ１５により固定されている。
【００２５】
図１は本発明の第1の実施例によるスピンドル・シャフト４とカバー２の締結構造を示す図で、図３のＡ部を拡大した図である。カバー２は、スピンドル・シャフト４と対向する部分に凹部２１が形成され、スピンドル・シャフト４との接触部の端部を突き出させた突き出し部２２が形成され、スピンドル・シャフト４のネジ穴４１の傾斜部４２に接触する“いんろう”構造に形成されている。傾斜部４２は、上方に向けて広がる形状である。ネジ１７の頭部１８の径は、カバー２の凹部２１の径と同等である。また、ネジ１７にて固定する際に、ネジ１７の頭部１８で押えつける部分の面積は、対向するスピンドル・シャフト６の面積と同等である。カバー２とスピンドル・シャフト４の接触部は密着していることが望ましく、隙間はゼロであることが望ましい。この構成により、外部より衝撃が印加されても、カバー２の突き出し部２２がストッパーとなって、スピンドル・シャフト４とカバー２のずれが抑えられ、スピンドル・シャフト４の傾きを防止する。
【００２６】
図４に本発明の第２の実施例による締結構造を示す。カバー２のスピンドル・シャフト４との接触面に面粗し２３を施こしたものである。この構造においても、カバー２とスピンドル・シャフト４の隙間はゼロであることが望ましい。本構造とすることにより、外部から衝撃が印加された場合、面粗し２３によりスピンドル・シャフト４のすべりが抑えられ、スピンドル・シャフト４の傾きを防止することができる。
【００２７】
図５に本発明の第３の実施例による締結構造を示す。カバー２のスピンドル・シャフト４との接触位置に、対称に突起２４を２個あるいは、４個設ける。また、スピンドル・シャフト４の方には、突起２４に対応した位置に溝４３を形成し、突起２４が溝４３にはまり込むようにした構造である。突起の位置は衝撃方向に対応した位置に形成することが望ましい。本構造とすることにより、突起２４は、あらゆる方向から衝撃が印加されても、スピンドル・シャフト４とカバー２のずれを抑え、スピンドル・シャフト４の傾きを防止することができる。
【００２８】
以上説明したように、本発明によれば、外部より衝撃が印加されても、スピンドル・シャフトとカバーの接触面のすべりを抑え、スピンドル・シャフトの傾きを抑えることができる。そのことにより、磁気ディスク装置の正常な起動シーケンスの確保し、パフォーマンスを向上することができる。
【図面の簡単な説明】
【００２９】
【図１】本発明の第１の実施例によるスピンドル・シャフトとカバーの締結構造を示す断面図である。
【図２】本発明の実施例が適用される磁気ディスク装置の概略構成を示す平面図である。
【図３】図２に示される磁気ディスク装置のスピンドル・シャフトの締結部の断面図である。
【図４】本発明の第２の実施例を示す断面図である。
【図５】本発明の第３の実施例を示す断面図であり、カバーとスピンドル・シャフトの接触部の構成も示す図である。
【図６】従来のスピンドル・シャフトとカバーの締結構造の断面図である。
【図７】従来のスピンドル・シャフトとカバーの締結構造の断面図である。
【符号の説明】
【００３０】
１…ベース、２…カバー、３…スピンドル・モータ、４…スピンドル・シャフト、
５…磁気ディスク、６…磁気ヘッド、７…サスペンション、８…ヘッド・アーム、
９…ピボット・ベアリング、９…スピンドル・モータ、１０…ＶＣＭ、１１…コイル、
１２…ランプ機構、１３…スピンドル・ハブ、１４…スペーサ、１５…ディスク・クランプ、１７…ネジ、１８…頭部、２１…凹部、２２…突き出し部、２３…面粗し、
２４…突起、４１…ネジ穴、４２…傾斜部、４３…溝。
【図１】
2006172671.tif 000003
【図２】
2006172671.tif 000004
【図３】
2006172671.tif 000005
【図４】
2006172671.tif 000006
【図５】
2006172671.tif 000007
【図６】
2006172671.tif 000008
【図７】
2006172671.tif 000009